(57)【要約】【課題】  簡単かつ安価な構成でありながら、スピーカの発音を筐体の所望の部位から効率良く出力させる。【解決手段】  部品ホルダ２の前面に、スピーカ３と、筐体上カバー１に設けられた各放音孔１１，１２とをそれぞれ囲むように環状のリブ２１を一体成形により設け、このリブ２１と筐体上カバー１及び部品ホルダ２の面とにより、筐体上カバー１と部品ホルダ２との間の空隙部に閉空間をなす音響ダクト４を形成する。そして、この音響ダクト４により、スピーカ３から発生された音を各放音孔１１，１２に導くようにしたものである。【選択図】図３
2005033723.tif 000002
【特許請求の範囲】
【請求項１】
放音孔が設けられた筐体と、この筐体内に収容される部品ホルダと、この部品ホルダに装着されるスピーカとを具備する携帯端末装置であって、
前記筐体及び部品ホルダの少なくとも一方にリブを設けて当該リブと前記筐体と部品ホルダとにより閉空間をなす音響ダクトを形成し、この音響ダクトにより前記スピーカの発音を前記放音孔に導くことを特徴とする携帯端末装置。
【請求項２】
前記放音孔が前記筐体の幅方向中央部に設けられ、かつ前記スピーカが前記部品ホルダの幅方向端部に装着される場合に、
前記音響ダクトは、前記スピーカの設置位置と前記放音孔の設置位置との間を連通する位置に形成されることを特徴とする請求項１記載の携帯端末装置。
【請求項３】
前記リブは、部品ホルダに一体成形により設けられることを特徴とする請求項１記載の携帯端末装置。
【請求項４】
前記リブの先端部と前記筐体または部品ホルダとの間に、前記音響ダクトを気密保持するための弾性部材を、さらに設けたことを特徴とする請求項１記載の携帯端末装置。
【請求項５】
前記筐体に、前記音響ダクトに沿って複数の放音孔を配設したことを特徴とする請求項１記載の携帯端末装置。
【発明の詳細な説明】
【技術分野】
【０００１】
この発明は、例えば携帯電話機やＰＤＡ（Personal Digital Assistants）等の携帯端末装置に係わり、特に受話音声や着信音を出力するためにスピーカを備えた携帯端末装置に関する。
【背景技術】
【０００２】
一般に、この種の装置は、端末の筐体前面の上部中央部分にスピーカを配置し、このスピーカの発音を筐体前面の上記スピーカと対向する位置に設けた放音孔から出力する構成となっている。しかし、近年携帯端末装置は、文字や画像情報を表示するために大型の液晶表示部を備えたり、またカメラを備えたものが増えており、端末の筐体前面の所望の位置にスピーカを設置するための十分なスペースを確保することが難しくなっている。そこで従来では、例えばスピーカに音響管を設け、スピーカの発音をこの音響管を通して端末筐体の側部や背面部に設けた放音孔に導いて出力させるようにした携帯端末装置が提案されている（特許文献１を参照。）。
【０００３】
【特許文献１】特開２００３−１１１１９４
【発明の開示】
【発明が解決しようとする課題】
【０００４】
ところが、上記従来提案されている装置では、新たに音響管を設けるためにスピーカ自体が複雑で大型になり、またスピーカ自体は勿論のことこのスピーカを採用した携帯端末装置のコストアップを招くという欠点がある。
この発明は上記事情に着目してなされたもので、その目的とするところは、簡単かつ安価な構成でありながら、スピーカの発音を筐体の所望の部位から効率良く出力させることができる携帯端末装置を提供することにある。
【課題を解決するための手段】
【０００５】
上記目的を達成するためにこの発明は、放音孔が設けられた筐体と、この筐体内に収容される部品ホルダと、この部品ホルダに装着されるスピーカとを具備する携帯端末装置にあって、上記筐体及び部品ホルダの少なくとも一方にリブを設けて当該リブと上記筐体と部品ホルダとにより閉空間をなす音響ダクトを形成し、この音響ダクトにより上記スピーカの発音を上記放音孔に導くように構成したものである。
【０００６】
具体的には、放音孔が筐体の幅方向中央部に設けられ、かつスピーカが部品ホルダの幅方向端部に装着される場合に、上記スピーカの設置位置と上記放音孔の設置位置との間を連通する位置に音響ダクトを形成する。
したがってこの発明によれば、スピーカと放音孔とが位置的に対向していなくても、スピーカの発音は音響ダクトを通して放音孔に導かれて装置外へ放出される。このため、スピーカの発音を効率良く放出することが可能となる。しかも、新たにリブを設けるだけで、既存の筐体及び部品ホルダの面を利用して音響ダクトを形成しているので、音響ダクトを簡単かつ安価に構成することができ、これによりスピーカ及び装置のコストアップを招くことなく実現できる利点がある。
【０００７】
特に、リブを部品ホルダに対し一体成形により設けるようにすると、新たな加工工程或いは組み立て工程を必要とすることなくリブを設けることができ、製作を簡単化することができる。また、リブの先端部と筐体または部品ホルダとの間に音響ダクトを気密保持するための弾性部材をさらに設けるとよい。このようにすると、音響ダクトの気密性を高めることができ、これにより音響ダクトにおける音漏れや、筐体又はホルダの振動によるビリツキ音等の発生を効果的に抑制することができる。さらに、筐体に、音響ダクトに沿って複数の放音孔を配設すると、たとえ主放音孔１１の一部又はすべてが話者の耳により塞がれたとしても、スピーカ３の発音は補助放音孔１２から放出されることになり、話者は受話音声を聴取することが可能となる。
【発明の効果】
【０００８】
すなわちこの発明によれば、簡単かつ安価な構成でありながら、スピーカから発生された音を筐体の所望の部位に設けた放音孔から効率良く出力させることが可能な携帯端末装置を提供することができる。
【発明を実施するための最良の形態】
【０００９】
図１は、この発明に係わる携帯端末装置の一実施形態を示す分解斜視図、図２は筐体上カバーの内面を示す斜視図、図３は筐体上カバー内に部品ホルダを収容した状態の側断面構造を示す図である。
筐体上カバー１の前面上端部付近には、放音孔が設けてある。放音孔は、後述するスピーカから発生された音を装置外部へ放出するためのもので、筐体上カバー１の幅方向中央位置に設けられた２個の主放音孔１１と、筐体上カバー１の幅方向端部寄りの位置に設けられた１個の補助放音孔１２とから構成される。補助放音孔１２の位置は、部品ホルダ２に装着されるスピーカと対向するように決められる。なお、１３は液晶表示窓であり、透明なプラスチック板により構成される。
【００１０】
一方、部品ホルダ２は、携帯端末装置の回路を構成する印刷配線基板や、液晶表示器、アンテナ等を保持するためのもので、一体成形されたプラスチック製品の表面に金属メッキを鍍着したものからなる。また、部品ホルダ２の前面上端部の側部寄りの位置には凹部が設けてあり、この凹部にスピーカ３が装着される。スピーカ３は、受信された相手話者の受話音やオーディオ再生された楽曲音、場合によっては着信鳴音やメロディ音等を出力するために使用される。なお、スピーカ３の装着に際し、スピーカ３と部品ホルダ２との間の隙間には、緩衝部材としてのゴム３１が圧入される。
【００１１】
ところで、上記部品ホルダ２の前面には、スピーカ３と、筐体上カバー１に設けられた各放音孔１１，１２とをそれぞれ囲むように環状のリブ２１が設けてある。このリブ２１は部品ホルダ２を製作する際に一体成形により設けられる。リブ２１は、筐体上カバー１及び部品ホルダ２と共に、筐体上カバー１と部品ホルダ２との間の空隙部に閉空間をなす音響ダクト４を形成する。この音響ダクト４は、スピーカ３から発生された音を各放音孔１１，１２に導く役割を担う。
【００１２】
なお、筐体上カバー１内面の上記リブ２１と対向する位置には、図２に示すように弾性部材からなる環状のスポンジ１４が取着してある。このスポンジ１４は、上記リブ２１の先端部と筐体上カバー１との間に介在することにより、上記音響ダクト４の気密性を保持する。なお、１５は上記スポンジ１４内に張設されたネットであり、上記主放音孔１１及び補助放音孔１２から筐体内部へ塵が入り込むのを防ぐ。
【００１３】
以上のような構成であるから、例えば通話中にスピーカ３から発せられた相手話者の受話音は、図３中の矢印に示すように音響ダクト４により導かれて主放音孔１１から放出される。このため、スピーカ３が筐体の側部寄りの位置に配設されている場合でも、その発音を筐体上カバー１の幅方向中央部に設けられた主放音孔１１から効率良く十分な音量で放出することができる。また、主放音孔１１に加え、スピーカ３の直上に補助放音孔１２を設けているので、たとえ主放音孔１１の一部又はすべてが話者の耳により塞がれたとしても、スピーカ３の発音は補助放音孔１２から放出されることになり、話者は受話音声を聴取することが可能となる。
【００１４】
しかも、部品ホルダ２にリブ２１を新たに設けるだけで、既存の筐体上カバー１及び部品ホルダ２の面を利用して音響ダクト４を形成しているので、音響ダクト４を簡単かつ安価に構成することができ、これによりスピーカ３及び携帯端末装置のコストアップを抑えることができる。
【００１５】
なお、この発明は上記実施形態に限定されるものではない。例えば、上記実施形態では、部品ホルダ２にリブ２１を設けて音響ダクト４を形成した場合を例にとって説明したが、筐体上カバー１の内面にリブを設けて音響ダクトを形成するようにしてもよい。
【００１６】
また上記実施形態では、部品ホルダ２と同一材質のリブ２１を一体成形により設けたが、リブを例えばゴム等の弾性部材により作成し、この弾性部材からなるリブを部品ホルダもしくは筐体上カバーに接着することにより設けてもよい。このようにすると、音響ダクトの気密性を保持するためのスポンジを不要にすることが可能となる。
【００１７】
その他、スピーカの設置位置、放音孔の設置位置とその数、音響ダクトの形状や寸法、携帯端末装置の種類とその構成等についても、この発明の要旨を逸脱しない範囲で種々変形して実施できる。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１８】
【図１】この発明に係わる携帯端末装置の一実施形態を示す分解斜視図
【図２】筐体上カバーの内面を示す斜視図
【図３】筐体上カバー内に部品ホルダを収容した状態の側断面構造を示す図。
【符号の説明】
【００１９】
１…筐体上カバー、２…部品ホルダ、３…スピーカ、４…音響ダクト、１１…主放音孔、１２…補助放音孔、１３…液晶表示窓、１４…スポンジ、１５…ネット、２１…リブ、３１…ゴム。
【図１】
2005033723.tif 000003
【図２】
2005033723.tif 000004
【図３】
2005033723.tif 000005